(57)【要約】【課題】現代社会において、生ゴミの処理については、衛生的にも処理費用の点からも様々な問題を指摘されながら相変わらず前時代的な発想から抜け出せていなかった。しかし最近においては微生物による処理方法などが開発され少しずつ改善されてきたものの、処理時間が長時間に及ぶばかりか、残渣が残るなど、完全な解決までには至っていない。家庭から生ゴミ集荷場に集めた生ゴミを運搬し、処理施設で焼却するシステムの画期的な改善が望まれていた。すなわち排出した生ゴミが即刻その場で、瞬時に消滅、分解できれば衛生面や経済面で地球的にも大きく貢献できるからである。【解決手段】生ゴミの基本的な組成原子はほとんどが水素と酸素から成り立っており、この有機体の成り立ちを理解すれば、環境に優しい酸化剤を用いて触媒とし、分解のための適当な装置を用いて、生ゴミを組成する原子を個別に分解すればいとも簡単に消滅できる事が、繰り返し行った実検により証明された。【選択図】なし【特許請求の範囲】
【請求項１】
動物性・植物性生ゴミを、その組成原子に対応する数種より選択的に混合した高分子酸化化合剤を触媒とし、生ゴミ自体の組成水分子エネルギーを利用し、原子核より電子を切り離し自浄酸化分解させる生ゴミ処理母剤。
【請求項２】
上記、生ゴミに処理母剤を反応させ、生ゴミを分解・消滅させるための撹拌装置。
【発明の詳細な説明】
【技術分野】
【０００１】  本発明は、化学的反応剤を利用する生ゴミ処理方法に関するもので、有機生体を構成する分子間の連結鎖を切り離す酸化剤を用いて生ゴミ及び／又は各種有機物を迅速に分解処理するために開発した生ゴミ処理方法に関する。
【技術背景】
【０００２】  分別された生ゴミを専用の運搬車を用いて、各家庭より生ゴミ集荷場に持ち寄せられたゴミを集荷し、市町村が運営する焼却場にて焼却処分。
【０００３】  微生物を用いて分解するバイオ分解方式または乾燥して生ゴミの体積を減らすなどの方法が知られている。
【発明の開示】
【発明が解決しようとする課題】
【０００４】  食生活の向上に伴い、ますます多様化する食品残渣の排出は衛生的にも、焼却による２酸化炭素排出においても大きな社会問題に成っている事はいうまでもない。生ゴミなど処理のために大規模焼却設備や莫大な収集費用を投入しているばかりか、各家庭にとっても生ゴミの衛生的な処理のために毎日ゴミ集荷場に持ち運びする労力を余儀なくしている。【０００５】  これらの生ゴミの根本的な処理は、調理残渣又は食べ残しなどを即刻その場で完全に分解処理し、人体にも自然に対しても無害な成分に変えて消滅させる事が望まれていた。【０００６】  上記の課題を解決する手段として、微生物を媒介し、生ゴミに投入して分解消滅させるバイオ式生ゴミ分解装置が提供されている。【０００７】  しかし、上記の方法は、分解に処理時間が長くかかり実用的とはいえない分解能力であるため、普及には様々な問題点が指摘されている。特に処理のために長時間を要しても問題が無い場合に限り利用されている現状である
【課題を解決するための手段】
【０００８】  本発明は、上記のような問題点を解決するために開発されたもので、その目的は化学的酸化剤を用いて、生ゴミを消滅させる最良の手段を提供する事にある。尚又、生ゴミのみならず従来の施設、設備から排出された副産物まで、処理する事が出来る方法を提示するものである。【０００９】  生ゴミのほぼ１００％が有機体で構成されており、その基本的な組成原子は、酸素（６５％）、炭素（１８％）、水素（１０％）、窒素（３．０％）、カルシウム（１．５％）、リン（１．０％）で組み立てられた化合物体である。このため生ゴミは、単純には水分子７５％と２５％の他の組成分子に分けて構成されていると考えるのは容易である。【００１０】  水は、質量数１の水素（Ｈ＋）と質量数８の（Ｏ−）の化合物であるが、自然界においては純水と雖も１８種類の分子と１５種類のイオン分子の合計３３種類と及び亜硫酸ガス、炭酸ガス、２酸化炭素、塩素、カルシウムなどが含有した巨大な水分子から成り立っている。【００１１】  又、上記、自然界において水は、０．０１７％の重水（Ｄ２Ｏ）を含むため、交換反応によりエネルギーを放出するのは公知の事実である。Ｈ２Ｏ＋Ｄ２Ｏ⇔２ＨＤＯこれにより水は電磁波を吸収し、放出するため、原子核を中心とする電子の分裂崩壊が始まる。【００１２】  発明者らが意図した本発明の最大の特徴は、上記物理の常識を理解し更には、有機体であるゴミの構成理論を理解したうえで、生ゴミ処理の全体的な、／素早い、／自然環境に優しい、生ゴミ処理手段を提供するものである。【００１３】  上記の理論に基づき、先ず、生ゴミを構成する水分子更には原子水素の分裂を促すため、選択された自然より生成した環境に易しい、高分子酸化剤及び／又はハロゲン系酸化剤を生ゴミ分解の触媒とし、生ゴミに接触する事と同時に、前記、水の振動エネルギーが自発的に化学エネルギーに変わり、原子水素（Ｈ−）が生成される。生成された原子水素（Ｈ−）は、分解装置から供給される熱風により酸素分子（Ｏ２）と結合する。→Ｈ＋Ｏ２＝ＨＯ２
上記生成された（ＨＯ２）分子式は極めて不安定で、未反応水分子（Ｈ２）と反応するため、ＨＯ２＋Ｈ２＝Ｈ２Ｏ２＋Ｈ及び又ＨＯ２＋Ｈ２＝Ｈ２Ｏ＋ＯＨすなわち過酸化水素（Ｈ２Ｏ２）と、水素（Ｈ−）が生成される。又水と遊離した水酸基（ＯＨ）が生成されるので、これが未反応水素（Ｈ）と連鎖的に、順次、数万回反応を繰り返す事で水と水素が連続的に分離発生するようになる。→ＯＨ＋Ｈ２＝Ｈ２Ｏ＋Ｈ【００１４】  このとき、上記、酸化剤とは酸化を促す物質で、酸素の供与、水素又は電子を奪う物質、又は酸化水増加の作用を起こす物質で、過酸化物、酸素酸、高酸化水化合物、ハロゲンなどがあるが環境的な側面を考慮すると、高酸化水化合物が極めて地球環境に優しく最も優れた反応触媒と考えられる。【００１５】  上記、酸化剤の生ゴミ分解に対する役割は水素や電子を奪う作用により、一般的には高分子化合物が生ゴミの分子連結鎖を切り離して、単位原子の状態で分離するためである。この場合、脂肪酸とタンパク質の分解には特に優れた効果を発揮する。又円滑な分解作用のためには、分解装置の温度、撹拌の回転速度などを、生ゴミ分解に最適であるよう考慮すれば、分解時間の更なる短縮が期待できる。上記一連の、装置への母剤投入、生ゴミ投入、化学反応の作用により固体状態の生ゴミは全てが液体及び気体の状態になり、結果的に残渣無く全て短時間で消滅する。
【発明の効果】
【００１６】  本発明は、上記、基本理論に基づき、課題を解決するため以下の手段を提供する。第一には生ゴミを粉砕し、又は粉砕することなく、生ゴミ分解装置に投入する生ゴミ投入段階と、／第二には前記、分解装置に化学的に高分子の連結鎖を切り離して、各原子単位で急速な分離／分解を促す、選択的に選び上げた自然の高分子酸化剤を主とする反応母剤を投入する投入段階に分けて実施しておりその効果は、生ゴミであれば１時間以内に消滅させる事が出来る。【００１７】  上記生ゴミ分解装置においては、主に撹拌装置と加熱装置と蒸気又は水分脱水装置及び脱臭装置より構成された、すなわち投入生ゴミが反応剤と混合撹拌しながら、同時に分解発生してくる水蒸気を装置外部に抜き出す水蒸気分離装置と、微量ながら発生するメタンガス脱臭装置より構成されているため無臭無害の理想的な生ゴミ分解方法である。
【発明を実施するための最良の形態】
【００１８】  以下、本発明の実施の形態を図１に基づいて説明する。【００１９】  図１において１は分解撹拌装置全体であり、生ゴミの分解能力により、各種各様の仕様が予想される。本撹拌装置に母剤と生ゴミを入れて撹拌する。【００２０】  図１において、２は投入分解母剤である。【００２１】  図１において、３は加熱装置を示す。試験結果においては≒７０℃〜７５℃が原子分解の活性を促す。【００２２】  図において、４は水蒸気分離装置で、生ゴミが連続的に水に転換する水分を脱水する装置である。【００２３】  図１において、５は生ゴミと母剤を接触させる撹拌装置で、平均的に３５ｒｐ／ｍの回転速度が理想である試験結果を得ている。
【図面の簡単な説明】
【００２４】
【図１】なし
【符号の説明】
【００２５】１  装置全体図
２  投入分解母財
３  加熱装置
４  水分分離装置
５  撹拌装置
【図１】
2009028706.tif 000002
【手続補正書】
【提出日】平成20年1月28日(2008.1.28)
【手続補正２】
【補正対象書類名】明細書
【補正対象項目名】００２４
【補正方法】変更
【補正の内容】
【００２４】
【図１】      断面図